(57)【特許請求の範囲】
【請求項１】
ドアロックに結合されるように、一定の深さの溝部が形成された第１の連結部から延在する第２の連結部が一体に形成される連結部材と、
ドアと対向する背面に前記第２の連結部と同じ長さの嵌合部が形成され、前記第２の連結部の背面を除く平面と左側面と右側面と正面と底面からなる外面に嵌合し、前記第２の連結部を覆い、前記連結部材に交換可能に結合される様々な形状の取っ手本体と、
前記取っ手本体の背面を除く面に形成され、前記取っ手本体を前記連結部材に固定するための固定孔と、
前記連結部材に設けられ、固定手段で前記ドアロックに固定され、前記第１の連結部に形成される第１の孔と、
前記連結部材に設けられ、前記取っ手本体の前記固定孔を通した固定手段が螺合される第２の孔と、
が備えられることを特徴とする交換用ドアハンドル。
【請求項２】
前記連結部材は、
一定の長さを有し、前記溝部が形成される前記第１の連結部と、
前記第１の連結部に一体に形成され、前記嵌合部に結合されるように、一体に延在する前記第２の連結部とを含むことを特徴とする請求項１に記載の交換用ドアハンドル。
【請求項３】
前記取っ手本体は、前記第２の連結部に嵌合した状態で接着又は交換可能であるように、前記固定手段によって分離可能に結合されることを特徴とする請求項１に記載の交換用ドアハンドル。
【発明の詳細な説明】
【技術分野】
【０００１】
本発明は、交換用ドアハンドルに関し、より詳しくは、様々な形状を有するドアハンドルを簡便に交換し、且つ、使用者の趣向や好みによる多様な選択が可能であり、ドアハンドルの製作が便利であり、簡便に施工することができる交換用ドアハンドルに関する。
【背景技術】
【０００２】
一般に、家庭や事務室などのドアは、使用者がドアを容易に開閉するように、ドアの内・外面にそれぞれ、ドアハンドルが設けられている。前記ドアハンドルは、ドアロック装置と連結されていて、使用者が、ドアハンドルを回すと、ドアが開くことになる、また、ドアハンドルは、バー又は球状が多く、耐久性を考えて、殆ど金属材質からなる。
【０００３】
このようなドアには、ドアの閉じ状態を維持すると共に、ドアの開閉が便利であるように、ドアロックが設置され、ドアの開閉に際して、手で握る取っ手の形態により、ノブ型とレバー型に分けられる。
【０００４】
ノブ型ドアハンドルは、取っ手の形状が球状であるので、外観がきれいで物体がかかることがないというメリットはあるものの、手使いが不便である障がい者や乳児においては、ノブ型取っ手を回すことが難しい。
【０００５】
一方、近年には、障がい者の便宜のため、レバー型取っ手の設置が法的に義務付けられているなど、レバー型ドアハンドルの使用が急増している。
【０００６】
レバー型ドアハンドルは、側方向に突出したレバーを下方又は上方に反らすと、ドアの閉じ状態を維持させるラッチボルトを動かすことができるので、障がい者や乳児も容易にドアを開くことができる。
【０００７】
このようなドアハンドルは、建物の建築時に設置されるので、使用者がドアハンドルを必要によって交換又は変更することができず、建築工事時に一度選定されたドアハンドルの交換ができないため、建築主の工事品質の満足度を落とすことがある。
【０００８】
また、使用者が室内環境のインテリアをする場合も、ドア全体を交換又は変更しなければならないので、ドアの交換又は変更によるコストが高くなり、ドアハンドルを交換又は変更する場合、ドアロック全体を交換又は変更すべきであるので、交換又は変更による作業工程が多大であるだけでなく、ドアハンドル全体を替えなければならないという不都合があった。
【０００９】
また、ドアハンドルは、その形状が非常に単純であることが多いため、使用者の好み又は趣向による様々な形状を有するドアハンドルを製作することにおいて、ドアハンドルに対する使用者の満足度が落ちるという不都合があった。
【００１０】
例えば、下記の特許文献１には、‘一字型ドアハンドルカバー'が開示されている。
【００１１】
特許文献１による一字型ドアハンドルカバーには、滑り及び衝撃を緩和する一字型ドアハンドルカバーとして、弾性及び柔軟性を有し、且つ、滑りのないシリコン、ゴム、ポリウレタン、合成樹脂、及びエラストマ材質のいずれか１つで製作し、一字型ドアハンドルを収容する空間を設けて、ドアハンドルと挿入締結して、使用者の手と触れ合う本体部と、前記本体部には、ドアハンドルへの挿入が容易になるように、本体部の長さ方向に細長く形成された挿入隙間と、前記本体部の長さ方向に取っ手の回転軸部分をカバーし、一字型取っ手カバーが回転を防止するために突設された突出部とが開示されている。
【００１２】
下記の特許文献２には、‘ドアハンドル'が開示されている。
【００１３】
特許文献２によるドアハンドルには、ドアに形成される締結孔と締結手段で締め付けられるホルダーと、前記ホルダーとホルダーの間の間隔に合って切断して、ホルダーと結合されるハンドルとからなり、前記ホルダーは、ドアと締結され、ハンドルを結合するホルダーボディーと、前記ホルダーボディーと結合されるホルダーカバーとからなる。
【００１４】
前記ドアと密着される位置のホルダーボディーに係止溝を形成し、前記ホルダーカバーには、係止溝と摺動結合するように、係止突起を形成し、前記ハンドルと結合される位置のホルダーボディーの端部に形成する仕上げ板に、ハンドルの内径と結合するように突出したハンドル保持体と、前記ハンドルとホルダーの間に介在して、結合による段差を補う仕上げリングと、前記ハンドル保持体の位置に、ホルダーボディーとホルダーカバーを締付け・解除するロッキング手段とが開示されている。
【先行技術文献】
【特許文献】
【００１５】
【特許文献１】韓国登録特許公報第10-0836579号公報
【特許文献２】韓国登録特許公報第10-1408400号公報
【発明の概要】
【発明が解決しようとする課題】
【００１６】
前記のような目的を達成するために、本発明による交換用ドアハンドルは、ドアロックに結合されるように、一定の深さの溝部が形成された第１の連結部から延在する第２の連結部が一体に形成される連結部材と、ドアと対向する背面に前記第２の連結部と同じ長さの嵌合部が形成され、前記第２の連結部の背面を除く平面と左側面と右側面と正面と底面からなる外面に嵌合し、前記第２の連結部を覆い、前記連結部材に交換可能に結合される様々な形状の取っ手本体と、前記取っ手本体の背面を除く面に形成され、前記取っ手本体を前記連結部材に固定するための固定孔と、前記連結部材に設けられ、固定手段で前記ドアロックに固定され、前記第１の連結部に形成される第１の孔と、前記連結部材に設けられ、前記取っ手本体の前記固定孔を通した固定手段が螺合される第２の孔と、が備えられることを特徴とする。
【００１７】
また、ドアハンドルの交換又は変更による作業時間が長くかかるだけでなく、ドアハンドルの交換又は変更によるコストが高くなり、また、様々な形状に製作する場合、金型費用が過多に発生して、ドアハンドルの製作又は施工による不便さとコストが嵩むという問題点があった。
【００１８】
本発明の目的は、前記のような問題点を解決するためになされたものであって、様々な材料、形状などに、使用者の好み又は趣向に合って交換することができる交換用ドアハンドルを提供することである。
【００１９】
本発明の他の目的は、ドアロックにドアハンドルを簡便に交換又は変更することができる交換用ドアハンドルを提供することである。
【００２０】
本発明の更に他の目的は、ドアロックに結合される連結部と取っ手本体を交換又は変更することができる交換用ドアハンドルを提供することである。
【課題を解決するための手段】
【００２１】
前記のような目的を達成するために、本発明による交換用ドアハンドルは、ドアロックに結合されるように、一定の深さの溝部が形成された連結部材と、前記連結部材を嵌合するように、対応する嵌合部が形成された取っ手本体とを含むことを特徴とする。
【００２２】
前記連結部材は、一定の長さを有し、前記溝部が形成される第１の連結部と、前記第１の連結部に一体に形成され、前記嵌合部に結合するように、一体に延在する第２の連結部とを含むことを特徴とする。
【００２３】
前記連結部材は、前記第１の連結部がドアロックに固定されるように、前記第１の連結部に形成される第１の孔と、前記第１の孔に結合される固定手段とを含むことを特徴とする。
【００２４】
前記取っ手本体には、前記連結部材に固定されるように形成される多数の固定孔と、前記連結部材に前記取っ手本体の固定孔に対応して形成される第２の孔とを含むことを特徴とする。
【００２５】
前記取っ手本体は、前記嵌合部に前記第２の連結部が嵌合した状態で接着又は交換可能であるように、固定手段によって分離可能に結合されることを特徴とする。
【発明の効果】
【００２６】
本発明の交換用ドアハンドルによると、ドアロックに結合されるドアハンドルを様々なデザインに交換又は変更することができるだけでなく、ドアハンドルを簡便かつ容易に交換又は変更することができ、また、使用者の好み又は趣向によるドアハンドルを使用することができる。
【００２７】
更に、本発明の交換用ドアハンドルによると、ドアロックに結合される連結部材とドアハンドルを様々な形態に結合又は固定することができ、様々な材料でドアハンドルを成型又は製作することができ、また、連結部材に拘ることなく、ドアハンドルを様々なデザインに成型又は製作することができる。
【００２８】
また、１つの金型だけで連結部材を作ることで、金型製作によるコストを大幅低減することができ、ドアの設置に際して、連結部材にカバー又は補足材を設置しないため、工期を減らすことができ、ドアハンドル製作の容易性、施工の容易性、及び使用者の趣向や好みを満たし、使用者が形状変形が可能な木材などの材料を所望する形態に可変することができる。
【図面の簡単な説明】
【００２９】
【図１】図１は、本発明の好適な第１の実施例によるドアハンドルを示す分解立体図である。
【図２】図２は、本発明の好適な第１の実施例によるドアハンドルがドアロックに結合された状態を示す断面図である。
【図３】図３は、本発明の好適な第２の実施例によるドアハンドルを示す分解立体図である。
【図４】図４は、本発明の好適な第３の実施例によるドアハンドルを示す分解立体図である。
【図５】図５は、本発明の好適な実施例によるドアハンドルを示す写真である。
【図６】図６は、本発明の好適な実施例によるドアハンドルを示す写真である。
【発明を実施するための形態】
【００３０】
以下、本発明の好適な実施例による交換用ドアハンドルを、添付の図面を参照して詳しく説明する。
【００３１】
図１は、本発明の好適な第１の実施例によるドアハンドルを示す分解立体図であり、図２は、本発明の好適な第１の実施例によるドアハンドルがドアロックに結合された状態を示す断面図である。
【００３２】
本発明の好適な実施例による交換用ドアハンドルは、ドアロックに結合されるように、一定の深さの溝部１３が形成された連結部材１０と、前記連結部材１０を嵌合するように、嵌合部２１が形成された取っ手本体２０とを含む。
【００３３】
図１及び図２に示しているように、本発明の第１の実施例によるドアハンドルは、ドアロックに結合固定される連結部材１０と、前記連結部材１０に交換可能に設けられる取っ手本体２０とからなる。
【００３４】
前記ドアロック(図示せず)は、ドア１を、ロック状態又は開閉可能な開錠状態に切り替えるものであって、通常のドアロックには、ドア１の両面にそれぞれ、ドアハンドルが設けられる。
【００３５】
図２に示しているように、ドアロックには、一定の長さであり、ドア１を貫通するロックキングバー２が設けられており、ドアハンドルは、ロックキングバー２の両端にそれぞれ設けられる。
【００３６】
このようなロックキングバー１５を有するドアロックは、通常のものを用いるので、これに関する具体的な説明は、省略することとする。
【００３７】
本発明のドアハンドルは、ロックキングバー２に結合される連結部材１０と、前記連結部材１０に結合される取っ手本体２０とからなり、前記取っ手本体２０は、使用者の好み及び趣向によって選ぶように様々な形状からなる。
【００３８】
前記連結部材１０は、一定の長さを有する第１の連結部１１と、前記第１の連結部１１の交差方向に一定の長さを有する第２の連結部１２とが一体に形成される。
【００３９】
前記第１の連結部１１には、ロックキングバー２に嵌合する溝部１３が形成され、溝部１３は、ロックキングバー２の形状によって、円状、四角状、多角状など、様々な形状に形成することができる。
【００４０】
また、第１の連結部１１には、第１の連結部１１をロックキングバー２に固定できるように、固定手段１５が締結される第１の孔１４が形成される。前記固定手段１５は、第１の連結部１１の第１の孔１４に締結されると共に、ロックキングバー２に締め付けられるボルト、又は第１の連結部１１及びロックキングバー２に強制嵌合する形態で結合されるピンなどとして設けられる。
【００４１】
このような連結部材１０は、１つの金型だけでも製作可能であり、施工時にロックキングバー２に設置された状態でドア１を開閉する機能を働く。
【００４２】
また、取っ手本体２０は、木材、金属、石材、陶磁器、プラスチック、合成樹脂、紙などの材料、又はこれらの材料の少なくとも２以上の材料を混合して形成することができ、様々な形状に自由に成型又は製作可能な材料からなる。
【００４３】
すなわち、取っ手本体２０は、使用者が所望する形状の様々な材料、又は様々なデザインに製作可能な材料をいずれも使用することができる。
【００４４】
前記取っ手本体２０には、一面に、第２の連結部１２に対応する嵌合部２１が形成される。前記嵌合部２１は、第２の連結部１２が強制嵌合形態で嵌合するように形成されるか、脱着自在に、第２の連結部１２が遊挿するように形成される。
【００４５】
一方、取っ手本体２０の外側、すなわち、嵌合部２１が形成されない外面には、様々な形状のデザインが適用される。すなわち、嵌合部２１を除く全ての面に、使用者の好み又は趣向による様々なデザインを適用することができる。
【００４６】
図３は、本発明の好適な第２の実施例によるドアハンドルを示す分解立体図であり、図４は、本発明の好適な第３実施例によるドアハンドルを示す分解立体図である。
【００４７】
図３に示しているように、本発明の第２の実施例によるドアハンドルは、ドアロックのロックキングバー２に結合される連結部材１０と、前記連結部材１０に結合される取っ手本体２０とを含む。
【００４８】
前記連結部材１０は、一定の長さを有する第１の連結部１１と、前記第１の連結部１１の交差方向に延在した第２の連結部１２とが一体に形成される。前記第１の連結部１１には、ロックキングバー２に嵌合する溝部１３が形成され、第１の連結部１１には、固定手段１５がロックキングバー２に結合されるように、第１の孔１４が形成される。
【００４９】
一方、ロックキングバー２と溝部１３は、強制強制嵌合形態に結合され、溝部１３をロックキングバー２に結合した後、固定手段１５によって固定させる。
【００５０】
また、第２の連結部１２には、取っ手本体２０を結合されるように、多数の第２の孔１６が形成される。前記第２の連結部１２に形成される第２の孔１６と、取っ手本体２０に形成される固定孔２２とは、同じ位置に形成される。
【００５１】
図３に示しているように、連結部材１０の第２の連結部１２に第２の孔１６が形成され、取っ手本体２０には、第２の孔１６に対応する位置に、固定孔(２２、図４参照)が形成される。
【００５２】
また、図４に示しているように、取っ手本体２０には、固定孔２２が形成され、第２の連結部１２に、固定孔２２に対応する第２の孔１６が形成される。
【００５３】
これらの連結部材１０と取っ手本体２０は、固定手段１５であるボルトによって一体に結合されるか、固定ピンなどによって一体に結合される。
【００５４】
すなわち、図３における固定手段１５は、第２の連結部１２を貫通して、取っ手本体２０に固定され、また、図４における固定手段１５は、取っ手本体２０を貫通して、第２の連結部１２に固定されることで、連結部材１０と取っ手本体２０とを一体に結合することができる。
【００５５】
このような本発明の第１〜第３の実施例によるドアハンドルは、ドアロック２に結合される連結部材１０を１つの金型で製作することができ、取っ手本体２０は、その材質によって、使用者の好み又は趣向による様々な形態のデザインに成型又は製作することができるようになる。
【００５６】
ここで、連結部材１０の製作に必要な金型は、１つの金型でも十分であるので、金型製作のコストを低減することができる。
【００５７】
ついで、本発明の好適な実施例による交換用ドアハンドルの結合関係を詳細に説明する。
【００５８】
図１、図２に示しているように、本発明の第１の実施例によるドアハンドルは、ドア１のロックキングバー２に結合される連結部材１０と、前記連結部材１０に結合される取っ手本体２０とを含む。
【００５９】
前記連結部材１０は、ロックキングバー２に結合されるように、一定の長さを有する第１の連結部１１と、前記第１の連結部１１から延在する第２の連結部１２とが一体に形成される。
【００６０】
前記第１の連結部１１には、ロックキングバー２を嵌合するように、一定の深さを有する溝部１３を形成し、溝部１３には、固定手段１５を結合するように、第１の孔１４を形成する。
【００６１】
固定手段１５は、締結又は強制嵌合形態で結合されるボルト、固定ピンなどからなる。
【００６２】
また、取っ手本体２０は、使用者の所望する形状からなり、その材料としては、木材、金属、石材、陶磁器、プラスチック、合成樹脂、紙などの材料を用いることができ、取っ手本体２０は、使用者の好み又は趣向によって、様々な形態のデザインからなることができる。
【００６３】
前記取っ手本体２０には、第２の連結部１２に対応して、嵌合部２１を形成することができる。前記嵌合部２１には、連結部材１０の第２の連結部１２を強制嵌合形態で結合することもできる。
【００６４】
また、第２及び第３の実施例でのように、ボルト又は固定ピンなどの固定手段１５で結合することもでき、第２の連結部１２を嵌合部２１に嵌合した状態で、接着剤又はシリコンなどのように硬化されることで、接着して結合することもできる。
【００６５】
図３及び図４に示しているように、本発明の第２の実施例又は第３実施例によるドアハンドルは、溝部１３が形成された第１の連結部１１と第２の連結部１２からなる連結部材１０と、前記連結部材１０に交換可能に結合される取っ手本体２０とを含む。
【００６６】
前記連結部材１０の第１の連結部１１には、ロックキングバー２に結合される溝部１３が形成され、第２の連結部１２には、取っ手本体２０と結合するように、第２の孔１６が形成される。
【００６７】
また、取っ手本体２０には、第２の連結部１２に対応する嵌合部２１が形成され、嵌合部２１には、第２の孔１６に対応する固定孔２２が形成される。
【００６８】
これらの第２の連結部１２の第２の孔１６と、取っ手本体２０の固定孔２２とは、互いに一致した位置に形成されて、固定手段１５によって、互いに強固に結合することができる。
【００６９】
一方、建物の施工段階で設置されるドア１には、ドアロックが設けられると共に、ドアロックの操作に必要なドアハンドルを設けるが、この時、連結部材１０には、連結部材に傷又は埃などが生じないように、織物、発泡スチロールなどからなるカバー又は補足材を設けることになる。
【００７０】
このように建物の施工時にドアロックに設置される連結部材１０には、取っ手本体２０を結合することになるので、別にカバー又は補足材などを設置しなくてもよく、これにより、ドアハンドルの設置又は施工による作業を、より簡便且つ容易に行うことができる。
【００７１】
ついで、図１乃至図６を参照して、本発明の好適な実施例による交換用ドアハンドルの作動方法を詳細に説明する。
【００７２】
図５は、本発明の好適な実施例によるドアハンドルを示す写真であり、図６は、本発明の好適な実施例によるドアハンドルを示す写真である。
【００７３】
図１乃至図６に示しているように、本発明の実施例によるドアハンドルは、ドア１に設けられているロックキングバー２に結合されることができ、必要によって、使用者がドアハンドルを交換又は変更しようとする場合、簡便且つ容易に交換又は変更することができる。
【００７４】
ドアハンドルをロックキングバー２に設置しようとする場合、使用者は、交換しようとするドアハンドルを、使用者の好み又は趣向によって、適切な形態の取っ手本体２０を自由に選ぶことができる。
【００７５】
使用者は、図５におけるドアハンドル又は図６におけるドアハンドルの他にも、様々な形態のドアハンドルを選ぶことができる。選ばれたドアハンドルを交換又は変更するために、使用者は、ロックキングバー２に設けられているドアハンドルを分離することになる。
【００７６】
このようなドアハンドルの分離は、連結部材１０の第１の連結部１１に結合されている固定手段１５を、ドライバーなどを用いて緩める。これに、ドアハンドルは、ロックキングバー２から分離される。
【００７７】
このように、ドアハンドルがロックキングバー２から分離された状態で、使用者は、交換又は変更しようと選ばれたドアハンドルを新たに嵌合することができる。使用者は、連結部材１０の第１の連結部１１に形成されている溝部１３を、ロックキングバー２に嵌合した状態で、第１の孔１４に固定手段１５を結合することになる。
【００７８】
すなわち、固定手段１５がボルトである場合、ボルトは、第１の連結部１１の第１の孔１４に締め付けられ、ロックキングバー２を押圧して、第１の連結部１１がロックキングバー２に強固に固定した状態を維持することになる。
【００７９】
また、連結部材１０と取っ手本体２０は、ボルト又は固定ピンなどの固定手段１５によって一体に結合することができ、連結部材１０の第２の連結部１２は、取っ手本体２０の嵌合部２１に嵌合した状態で、接着剤又はシリコンなどで接着又は付着した状態で接合することができる。
【００８０】
一方、図５及び図６は、本発明の実施例により製作されたドアハンドルであって、図５に示しているように、取っ手本体２０は、その表面が凹凸状であり、互いに異なる色相で形成することができる。
【００８１】
また、図６に示しているように、取っ手本体２０は、凹凸状であると共に、広い表面をムラに形成したことを例示的に示している。
【００８２】
すなわち、図５及び図６でのように、取っ手本体２０の形状によるデザインは、使用者の好み又は趣向による様々なデザインに成型又は製作することができる。
【００８３】
また、使用者は、木材、プラスチック、合成樹脂、紙などのように、形態的な変形が可能な材料の場合、使用者が所望する形状の様々なデザインに変更することができる。
【００８４】
以上、本発明者によってなされた発明を前記実施例によって具体的に説明したが、本発明は、前記実施例に限られるものではなく、その要旨を逸脱しない範囲で様々に変更可能であることは、言うまでもない。
【符号の説明】
【００８５】
１        ドア
１０      連結部材
１１      第１の連結部
１２      第２の連結部
１３      溝部
１４      第１の孔
１５      固定手段
１６      第２の孔
２        ロックキングバー
２０      取っ手本体
２１      嵌合部
２２      固定孔
【図１】
0006409126.tif 000002
【図２】
0006409126.tif 000003
【図３】
0006409126.tif 000004
【図４】
0006409126.tif 000005
【図５】
0006409126.tif 000006
【図６】
0006409126.tif 000007